(57)【要約】【課題】内視鏡が送水管路を一系統しか有していない場合、及び主送水管路と副送水管路の二系統の送水管路を有している場合のどちらであっても、送水管路内を全て確実に洗浄することができる内視鏡の送水管路洗浄用コネクタを提供すること。【解決手段】主管路接続プラグ４０と副管路接続プラグ５０とが、共通の洗浄液注入チューブ６０の先端に並んで接続配置されて、主管路接続プラグ４０には、送水タンク受け口金１３に接続された時に洗浄液注入チューブ６０と主送水管路１２とを連通させる連通孔４１が形成され、副管路接続プラグ５０には、注水器具受け口金２０に接続されることにより洗浄液注入チューブ６０と副送水管路１９とを連通させる状態に開き、注水器具受け口金２０に接続されていない状態では洗浄液注入チューブ６０との連通部分７０を塞ぐ状態に閉じる開閉弁５３を設けた。【選択図】      図１
2005245668.tif 000002
【特許請求の範囲】
【請求項１】
内視鏡に並んで突設された主送水管路の入口口金である送水タンク受け口金と副送水管路の入口口金である注水器具受け口金とに対して同時に接続される主管路接続プラグと副管路接続プラグとが、共通の洗浄液注入チューブの先端に並んで接続配置されて、
上記主管路接続プラグには、上記送水タンク受け口金に接続された時に上記洗浄液注入チューブと上記主送水管路とを連通させる連通孔が形成され、
上記副管路接続プラグには、上記注水器具受け口金に接続されることにより上記洗浄液注入チューブと上記副送水管路とを連通させる状態に開き、上記注水器具受け口金に接続されていない状態では上記洗浄液注入チューブとの連通部分を塞ぐ状態に閉じる開閉弁を設けたことを特徴とする内視鏡の送水管路洗浄用コネクタ。
【請求項２】
上記開閉弁が、付勢部材によって付勢されて常態においては上記洗浄液注入チューブとの連通部分を塞ぐ位置にあり、上記副管路接続プラグが上記注水器具受け口金に接続されるとそれにより上記付勢部材の付勢力に抗して上記洗浄液注入チューブとの連通部分を開通させる位置に移動するスライド弁体を有している請求項１記載の内視鏡の送水管路洗浄用コネクタ。
【発明の詳細な説明】
【技術分野】
【０００１】
この発明は、内視鏡に配管されている送水管路内を洗浄する際に用いられる内視鏡の送水管路洗浄用コネクタに関する。
【背景技術】
【０００２】
内視鏡には一般に、挿入部の先端に配置されている観察窓の表面に向けて吹き付ける水を通すための送水管路が内蔵されており、さらに一部の内視鏡には、観察対象である粘膜面の汚れを洗い流すために観察方向に向けて吹き出す水を通すための副送水管路が併設されている（例えば、特許文献１）。
【特許文献１】特開２００１−２９２９５８
【発明の開示】
【発明が解決しようとする課題】
【０００３】
内視鏡使用後に内視鏡を洗浄する際には、挿入部の外表面だけでなく、送水管路の内面等も洗浄液を通して完全に洗浄する必要がある。
したがって、主送水管路と副送水管路の二系統の送水管路が内蔵された内視鏡を洗浄するために、管路内洗浄液を注入するための洗浄液注入チューブを二系統設けなければならず、構成上不経済であった。
【０００４】
また、副送水管路を有する内視鏡はごく一部なので、うっかりしていると、洗浄液注入チューブの接続口金を主送水管路だけに接続して、副送水管路に対して接続することを忘れてしまう場合がある。
【０００５】
そこで本発明は、内視鏡が送水管路を一系統しか有していない場合、及び主送水管路と副送水管路の二系統の送水管路を有している場合のどちらであっても、送水管路内を全て確実に洗浄することができる内視鏡の送水管路洗浄用コネクタを提供することを目的とする。
【課題を解決するための手段】
【０００６】
上記の目的を達成するため、本発明の内視鏡の送水管路洗浄用コネクタは、内視鏡に並んで突設された主送水管路の入口口金である送水タンク受け口金と副送水管路の入口口金である注水器具受け口金とに対して同時に接続される主管路接続プラグと副管路接続プラグとが、共通の洗浄液注入チューブの先端に並んで接続配置されて、主管路接続プラグには、送水タンク受け口金に接続された時に洗浄液注入チューブと主送水管路とを連通させる連通孔が形成され、副管路接続プラグには、注水器具受け口金に接続されることにより洗浄液注入チューブと副送水管路とを連通させる状態に開き、注水器具受け口金に接続されていない状態では洗浄液注入チューブとの連通部分を塞ぐ状態に閉じる開閉弁を設けたものである。
【０００７】
なお、開閉弁が、付勢部材によって付勢されて常態においては洗浄液注入チューブとの連通部分を塞ぐ位置にあり、副管路接続プラグが注水器具受け口金に接続されるとそれにより付勢部材の付勢力に抗して洗浄液注入チューブとの連通部分を開通させる位置に移動するスライド弁体を有していてもよい。
【発明の効果】
【０００８】
本発明によれば、洗浄液注入チューブを一系統しか設ける必要がないので装置コストを抑制することができ、しかも、内視鏡が送水管路を一系統しか有していない場合には主管路接続プラグだけを送水タンク受け口金に接続して送水管路内を洗浄することができ、内視鏡が主送水管路と副送水管路の二系統の送水管路を有している場合には、並んで設けられている主管路接続プラグと副管路接続プラグを送水タンク受け口金と注水器具受け口金に接続して、主送水管路と副送水管路とを忘れずに洗浄することができる。
【発明を実施するための最良の形態】
【０００９】
内視鏡に並んで突設された主送水管路の入口口金である送水タンク受け口金と副送水管路の入口口金である注水器具受け口金とに対して同時に接続される主管路接続プラグと副管路接続プラグとが、共通の洗浄液注入チューブの先端に並んで接続配置されて、主管路接続プラグには、送水タンク受け口金に接続された時に洗浄液注入チューブと主送水管路とを連通させる連通孔が形成され、副管路接続プラグには、注水器具受け口金に接続されることにより洗浄液注入チューブと副送水管路とを連通させる状態に開き、注水器具受け口金に接続されていない状態では洗浄液注入チューブとの連通部分を塞ぐ状態に閉じる開閉弁を設けた。
【実施例】
【００１０】
図面を参照して本発明の実施例を説明する。
図２は内視鏡の全体構成における配管図であり、内視鏡は、可撓性の挿入部１の基端に操作部２が連結され、図示されていない光源装置に接続されるコネクタ部３が、操作部２から後方に延出する連結可撓管４の先端に取り付けられた構成になっている。
【００１１】
そして、ほとんど全ての配管（送気管路１１、主送水管路１２、吸引管路１５、副送水管路１９）が、連結可撓管４内から操作部２内を通って挿入部１内の全長にわたって挿通配置されている。
【００１２】
その中の、挿入部１の先端面に配置されている観察窓の表面に吹き付ける空気と水を送るための送気管路１１と主送水管路１２については、その入口である送水タンク受け口金１３がコネクタ部３の側面に平行に並んで突設されて、途中位置の操作部２には送気送水操作弁１４が介挿接続されている。
【００１３】
また、吸引管路１５については、図示されていない外部吸引装置を接続するための吸引口金１７がコネクタ部３の送水タンク受け口金１３とは逆側の側面に突設されて、途中位置の操作部２に吸引操作弁１８が介挿接続され、処置具挿入口１６からの通路とも途中で連通している。
【００１４】
副送水管路１９は、被写体に向かって水を吹き付けるように挿入部１の先端面に観察方向に向けて開口していて、その入口である注水器具受け口金２０が送水タンク受け口金１３と並んでコネクタ部３の側面に突設されている。
【００１５】
図１は、コネクタ部３に並んで平行に突設されている送水タンク受け口金１３と注水器具受け口金２０に、共通の洗浄液注入チューブ６０の先端に並んで接続配置された主管路接続プラグ４０と副管路接続プラグ５０が対向している状態を示している。
【００１６】
コネクタ部３から突出して設けられた送水タンク受け口金１３の口金筒２４の底部には、周辺部分に送気管路１１が開口形成され、軸線位置には、図示されていない送水タンクからの給水管路が接続される給水受け管２５が軸線位置に突設されて、その接続嵌合面をシールするためのＯリング２６が給水受け管２５に装着され、給水受け管２５の奥の位置に主送水管路１２が接続されている。
【００１７】
注水器具受け口金２０側の口金筒３３内の底部寄りの位置には、口金筒３３の底部中央に接続されている副送水管路１９側から流体が逆流して流れ出るのを阻止するゴム製の逆止弁３６が配置されている。
【００１８】
逆止弁３６は、口金筒３３に対して口元の開口部側から挿脱自在な逆止弁支持筒３４の先端部分に取り付けられていて、逆止弁支持筒３４の側壁部分には通水孔３７が形成されている。３５はシール用のＯリング、３９は、逆止弁支持筒３４の手元側端部に取り付けられた摘み環である。
【００１９】
このような構成により、注水器具受け口金２０に（厳密には注水器具受け口金２０の逆止弁支持筒３４に）、図示されていない注水器具を接続して注水すると、その水が通水孔３７を通り、逆止弁３６を外面側から内側に向かって弾力的に変形させながら副送水管路１９内に送り込まれる。
【００２０】
主管路接続プラグ４０は、基端側の部分に洗浄液注入チューブ６０の先端が接続されていて、先寄りの半部は、送水タンク受け口金１３の口金筒２４内に真っ直ぐに差し込まれる形状に形成されている。
【００２１】
そして主管路接続プラグ４０には、送水タンク受け口金１３に接続された時にその口金筒２４内と洗浄液注入チューブ６０とを直接連通させる直通連通孔４１が、真っ直ぐに形成されている。４２と４３は、送水タンク受け口金１３の口金筒２４に対するシール用のＯリングと抜け止めクリック用のＣリングである。
【００２２】
副管路接続プラグ５０は、主管路接続プラグ４０との軸線間の距離が、送水タンク受け口金１３と注水器具受け口金２０との間の軸線間の距離と同じになるように、主管路接続プラグ４０と平行に分岐連通管７０によって連結されている。
【００２３】
副管路接続プラグ５０には、注水器具受け口金２０に面する先側方向のみに開口するシリンダ孔５１が軸線位置に穿設されていて、そのシリンダ孔５１と主管路接続プラグ４０の直通連通孔４１とが分岐連通管７０を介して連通している。そして、分岐連通管７０と通じているシリンダ孔５１の側面開口部を囲んで環状のシール部材５２が取り付けられている。
【００２４】
シリンダ孔５１内には、軸線方向にスライド自在にピストン状のスライド開閉弁５３（開閉弁）が嵌挿されていて、スライド開閉弁５３は、シリンダ孔５１の底部に配置された圧縮コイルスプリング５４（付勢部材）によってシリンダ孔５１から先側に押し出される方向に常時付勢されている。５５は、スライド開閉弁５３が付勢力によってシリンダ孔５１内から抜け落ちてしまうのを防止するためのストッパである。
【００２５】
副管路接続プラグ５０から先側に突出するスライド開閉弁５３の先側の半部は注水器具受け口金２０の逆止弁支持筒３４に対して挿抜自在に形成されていて、逆止弁支持筒３４の途中に形成された段部３８に当接するようになっている。５７と５８は、逆止弁支持筒３４に対するシール用のＯリングと抜け止めクリック用のＣリングである。
【００２６】
そしてスライド開閉弁５３には、中間部の側面と先端面とに両端が開口するＬ字状の弁孔５６が形成されており、その側面開口５９は、常態では分岐連通管７０と連通する位置より先側にずれて位置している。
【００２７】
その結果、常態においては、図１に示されるように副管路接続プラグ５０側において分岐連通管７０との連通部分がスライド開閉弁５３の側面で塞がれて、その閉塞状態がシール部材５２でシールされ、洗浄液注入チューブ６０と弁孔５６との間が連通していない。
【００２８】
図３は、使用が終わった内視鏡を洗浄消毒する際に、送水タンク受け口金１３と注水器具受け口金２０に主管路接続プラグ４０と副管路接続プラグ５０が接続された状態を示している。
【００２９】
主管路接続プラグ４０と副管路接続プラグ５０との軸線間の距離と、送水タンク受け口金１３と注水器具受け口金２０との軸線間の距離とが等しいので、主管路接続プラグ４０と副管路接続プラグ５０が送水タンク受け口金１３と注水器具受け口金２０に同時に接続される。
【００３０】
そして、主管路接続プラグ４０が送水タンク受け口金１３に接続されると、直通連通孔４１と口金筒２４を介して送気管路１１と主送水管路１２に洗浄液注入チューブ６０が連通する状態になり、送気管路１１内と主送水管路１２内とに洗浄液注入チューブ６０から洗浄液が流し込まれる。
【００３１】
一方、副管路接続プラグ５０が注水器具受け口金２０に接続されて、スライド開閉弁５３が注水器具受け口金２０の逆止弁支持筒３４に差し込まれると、スライド開閉弁５３の先端が逆止弁支持筒３４の段部３８に当接することにより、スライド開閉弁５３が圧縮コイルスプリング５４の付勢力に抗してシリンダ孔５１内に潜り込み、弁孔５６の側面開口５９が分岐連通管７０と連通する位置に変位する。
【００３２】
その結果、洗浄液注入チューブ６０と副送水管路１９とが分岐連通管７０、弁孔５６及び通水孔３７等を介して連通する状態になり、洗浄液注入チューブ６０から送り出された洗浄液が逆止弁３６を変形させて副送水管路１９内に流し込まれる。
【００３３】
図４は、副送水管路１９を有していない（したがって注水器具受け口金２０を有していない）内視鏡の送水タンク受け口金１３に主管路接続プラグ４０が接続された状態を示しており、副管路接続プラグ５０は接続相手がないので空間に浮いた状態になっている。
【００３４】
しかし、この状態では分岐連通管７０の出口側が副管路接続プラグ５０のスライド開閉弁５３によって塞がれた状態になっているので、洗浄液注入チューブ６０を通って送られてくる洗浄液は、副管路接続プラグ５０側に流出することなく送気管路１１内と主送水管路１２内に流し込まれる。
【図面の簡単な説明】
【００３５】
【図１】本発明の実施例の内視鏡の送水管路洗浄用コネクタの側面断面図である。
【図２】本発明の実施例の内視鏡の全体構成における配管図である。
【図３】本発明の実施例の内視鏡の送水管路洗浄用コネクタによる主送水管路内と副送水管路内を同時に洗浄する状態の側面断面図である。
【図４】本発明の実施例の内視鏡の送水管路洗浄用コネクタによる主送水管路内のみを洗浄する状態の側面断面図である。
【符号の説明】
【００３６】
１  挿入部
２  操作部
３  コネクタ部
１１  送気管路
１２  主送水管路
１３  送水タンク受け口金
１９  副送水管路
２０  注水器具受け口金
４０  主管路接続プラグ
４１  直通連通孔
５０  副管路接続プラグ
５１  シリンダ孔
５３  スライド開閉弁（開閉弁）
５４  圧縮コイルスプリング（付勢部材）
５６  弁孔
５９  側面開口
６０  洗浄液注入チューブ
７０  分岐連通管
【図１】
2005245668.tif 000003
【図２】
2005245668.tif 000004
【図３】
2005245668.tif 000005
【図４】
2005245668.tif 000006